(57)【要約】【課題】簡素な構成で、電子部品の発熱も抑制できるようにしたＬＥＤ照明ユニットを提供する。【解決手段】上面に２本の電線を互いに離間して固定可能な電線配索溝１２を有するプレート１０と、長手方向の中間部に、被覆２２を除去して芯線２１を露出させた芯線露出部２１ａを有し、各芯線露出部をプレート上の中間部に位置させて、それぞれプレートの電線固定部にセットされた２本の被覆電線２０と、２本の被覆電線の芯線露出部に跨るようにそれぞれ両端が半田付けにより接続されたＬＥＤ３１および抵抗３２と、ＬＥＤの上面に被さるレンズ４０を有し、プレートの上面に被せた状態で該プレートと結合されるカバー６０と、を具備する。【選択図】図１
2009253040.tif 000002
【特許請求の範囲】
【請求項１】
上面に２本の電線を互いに離間して固定可能な電線固定部を有するプレートと、
長手方向の中間部に、被覆を除去して芯線を露出させた芯線露出部を有し、各芯線露出部を前記プレート上の中間部に位置させて、それぞれ前記プレートの電線固定部にセットされた２本の被覆電線と、
前記２本の被覆電線の芯線露出部に跨るようにそれぞれ両端が半田付けにより接続された少なくともＬＥＤを含む電子部品と、
前記ＬＥＤの上面に被さるレンズを有し、前記プレートの上面に被せた状態で該プレートと結合されるカバーと、
を具備することを特徴とするＬＥＤ照明ユニット。
【請求項２】
請求項１に記載のＬＥＤ照明ユニットであって、
前記被覆電線の芯線がスズメッキ線よりなることを特徴とするＬＥＤ照明ユニット。
【請求項３】
請求項１または２に記載のＬＥＤ照明ユニットであって、
前記芯線露出部が、前記電子部品との半田付け面を広くとるためにフラットに成形されていることを特徴とするＬＥＤ照明ユニット。
【請求項４】
請求項１〜３のいずれか１項に記載のＬＥＤ照明ユニットであって、
前記電線固定部として、前記プレートの上面に２本の電線配索溝が形成されていることを特徴とするＬＥＤ照明ユニット。
【請求項５】
請求項４に記載のＬＥＤ照明ユニットであって、
前記電線配索溝上の前記電子部品を半田付けした箇所を挟む両側の位置に、前記被覆電線に外力が加わった際にその外力を吸収する外力吸収部が設けられていることを特徴とするＬＥＤ照明ユニット。
【請求項６】
請求項５に記載のＬＥＤ照明ユニットであって、
前記外力吸収部として、前記電線配索溝の経路末端に、前記プレートの厚み方向に被覆電線を屈曲させる縦溝が設けられていることを特徴とするＬＥＤ照明ユニット。
【請求項７】
請求項５に記載のＬＥＤ照明ユニットであって、
前記外力吸収部として、前記電線配索溝の経路途中に、前記プレートの上面と平行な方向に屈曲した屈曲部が設けられていることを特徴とするＬＥＤ照明ユニット。
【請求項８】
請求項５に記載のＬＥＤ照明ユニットであって、
前記外力吸収部として、前記電線配索溝の経路途中に、溝内側壁にリブを設けることによって溝幅が前記被覆電線の被覆の外径よりも局部的に狭められた隘路部が形成されていることを特徴とするＬＥＤ照明ユニット。
【請求項９】
請求項４〜８のいずれか１項に記載のＬＥＤ照明ユニットであって、
前記２本の電線配索溝の間に、両溝を橋渡しするように、前記電子部品の嵌まる横断溝が設けられていることを特徴とするＬＥＤ照明ユニット。
【請求項１０】
請求項１〜９のいずれか１項に記載のＬＥＤ照明ユニットであって、
前記カバーの内面に、前記ＬＥＤの光が外に漏れるのを防止する環状の光漏れ防止突起が設けられており、その光漏れ防止突起が、前記ＬＥＤが半田付けされた部分の前記電線の両側をプレートに対して押圧する電線押圧部を兼ねていることを特徴とするＬＥＤ照明ユニット。
【請求項１１】
請求項１〜１０のいずれか１項に記載のＬＥＤ照明ユニットであって、
前記カバーが、前記ＬＥＤに被さるレンズと、前記プレートに結合されることで前記レンズを前記プレートに対して押え付けるレンズ押えの２部品に分割されていることを特徴とするＬＥＤ照明ユニット。
【発明の詳細な説明】
【技術分野】
【０００１】
本発明は、ＬＥＤを用いた照明ユニットに関するものである。
【背景技術】
【０００２】
従来、自動車の室内照明装置として、この種のＬＥＤを用いた照明ユニットが知られており、例えば、特許文献１には、基板上に圧接端子を有したブスバーを配置し、そのブスバー上にチップ型のＬＥＤ（発光ダイオード）を半田付けすると共に、圧接端子に被覆電線を圧接することで、ユニット化したものが記載されている。
【０００３】
また、図１４および図１５に示すようなＬＥＤ照明ユニットも知られている。このＬＥＤ照明ユニットは、回路パターン３１１を有する実装基板３１０と、この実装基板３１０の下面に密着して配置される放熱板３２０と、実装基板３１０上に半田付けされたＬＥＤ３１、抵抗３２および基板コネクタ３３と、電線３３２の両端にコネクタ３３１、３３３を有する中継ハーネス３３０と、レンズ部４１とフランジ４２を有する樹脂製またはガラス製のレンズ４０と、このレンズ４０を固定するカバー部材としてのレンズ押え３５０とからなる。
【０００４】
レンズ押え３５０は、四角形の上壁３５１と、その４辺より垂下された周側壁３５２とを有する底面開口の箱形のもので、上壁３５１の中央にレンズ部４１を露出させる開口部３５３を有し、周側壁３５２に、電線引出溝２５５を有すると共に、実装基板３１０および放熱板３２０と係合するためのロック爪３５８を有している。
【０００５】
そして、ＬＥＤ３１、抵抗３２および基板コネクタ３３を半田付けした実装基板３１０の上にレンズ４０を載せ、実装基板３１０の下面に放熱板３２を配置し、レンズ押え３５０をその上に被せて、ロック爪３５８を実装基板３１０および放熱板３２の周縁下面に係合させ、中継ハーネス３３０を基板コネクタ３３に接続することでユニットが構成されており、中継ハーネス３３０の端末のコネクタ３３３に、外部ハーネス３４０のコネクタ３４１を接続することにより使用に供される。
【特許文献１】特開２００５−３３１５８号公報
【発明の開示】
【発明が解決しようとする課題】
【０００６】
ところで、前記特許文献１に記載された従来のＬＥＤ照明ユニットでは、圧接端子を有したブスバーを介して電線とＬＥＤを接続しているので、部品点数が多く、加工や組立工数が多くかかるという問題がある。
【０００７】
また、図１４および図１５に示した従来のＬＥＤ照明ユニットでは、実装基板３１０上の回路パターン３１１や基板コネクタ３３や中継ハーネス３３０等を介して外部ハーネス３４０とＬＥＤ３１等を接続している上、放熱性を考慮して放熱板３２０を配置しているので、余計な部品が多くなり、加工や組立工数が多くかかるという問題がある。
【０００８】
本発明は、上記事情を考慮し、簡素な構成で、電子部品の発熱も抑制できるようにしたＬＥＤ照明ユニットを提供することを目的とする。
【課題を解決するための手段】
【０００９】
請求項１の発明のＬＥＤ照明ユニットは、上面に２本の電線を互いに離間して固定可能な電線固定部を有するプレートと、長手方向の中間部に、被覆を除去して芯線を露出させた芯線露出部を有し、各芯線露出部を前記プレート上の中間部に位置させて、それぞれ前記プレートの電線固定部にセットされた２本の被覆電線と、前記２本の被覆電線の芯線露出部に跨るようにそれぞれ両端が半田付けにより接続された少なくともＬＥＤを含む電子部品と、前記ＬＥＤの上面に被さるレンズを有し、前記プレートの上面に被せた状態で該プレートと結合されるカバーとを具備することを特徴としている。
【００１０】
請求項２の発明は、請求項１に記載のＬＥＤ照明ユニットであって、前記被覆電線の芯線がスズメッキ線よりなることを特徴としている。
【００１１】
請求項３の発明は、請求項１または２に記載のＬＥＤ照明ユニットであって、前記芯線露出部が、前記電子部品との半田付け面を広くとるためにフラットに成形されていることを特徴としている。
【００１２】
請求項４の発明は、請求項１〜３のいずれか１項に記載のＬＥＤ照明ユニットであって、前記電線固定部として、前記プレートの上面に２本の電線配索溝が形成されていることを特徴としている。
【００１３】
請求項５の発明は、請求項４に記載のＬＥＤ照明ユニットであって、前記電線配索溝上の前記電子部品を半田付けした箇所を挟む両側の位置に、前記被覆電線に外力が加わった際にその外力を吸収する外力吸収部が設けられていることを特徴としている。
【００１４】
請求項６の発明は、請求項５に記載のＬＥＤ照明ユニットであって、前記外力吸収部として、前記電線配索溝の経路末端に、前記プレートの厚み方向に被覆電線を屈曲させる縦溝が設けられていることを特徴としている。
【００１５】
請求項７の発明は、請求項５に記載のＬＥＤ照明ユニットであって、前記外力吸収部として、前記電線配索溝の経路途中に、前記プレートの上面と平行な方向に屈曲した屈曲部が設けられていることを特徴としている。
【００１６】
請求項８の発明は、請求項５に記載のＬＥＤ照明ユニットであって、前記外力吸収部として、前記電線配索溝の経路途中に、溝内側壁にリブを設けることによって溝幅が前記被覆電線の被覆の外径よりも局部的に狭められた隘路部が形成されていることを特徴としている。
【００１７】
請求項９の発明は、請求項４〜８のいずれか１項に記載のＬＥＤ照明ユニットであって、前記２本の電線配索溝の間に、両溝を橋渡しするように、前記電子部品の嵌まる横断溝が設けられていることを特徴としている。
【００１８】
請求項１０の発明は、請求項１〜９のいずれか１項に記載のＬＥＤ照明ユニットであって、前記カバーの内面に、前記ＬＥＤの光が外に漏れるのを防止する環状の光漏れ防止突起が設けられており、その光漏れ防止突起が、前記ＬＥＤが半田付けされた部分の前記電線の両側をプレートに対して押圧する電線押圧部を兼ねていることを特徴としている。
【００１９】
請求項１１の発明は、請求項１〜１０のいずれか１項に記載のＬＥＤ照明ユニットであって、前記カバーが、前記ＬＥＤに被さるレンズと、前記プレートに結合されることで前記レンズを前記プレートに対して押え付けるレンズ押えの２部品に分割されていることを特徴としている。
【発明の効果】
【００２０】
請求項１の発明によれば、被覆電線の芯線露出部に直接電子部品を半田付けしているので、回路パターンを有した実装基板やブスバー付き基板を省略することができるし、圧接端子や基板コネクタも省略することができる。また、外部の電線を直接使用できるので、中継用のコネクタやハーネス類も省略できる。また、ＬＥＤを含む電子部品を直接被覆電線の芯線露出部に半田付けしているので、電子部品からの熱を直接電線の芯線を通して他へ逃がすことができ、電子部品の発熱を抑えることができて、従来使用していた放熱プレートを省略することができる。従って、部品の省略による構成の簡素化が図れ、加工や組立の工数が削減できて、コストダウンが可能となる。
【００２１】
請求項２の発明によれば、被覆電線の芯線がスズメッキ線よりなるので、電子部品を半田付けする部分の腐食を防止することができ、半田付け性能を高めることができる。
【００２２】
請求項３の発明によれば、半田付け面を広くとれるので、電子部品を容易に接続することができると共に、接続信頼性を高めることができる。
【００２３】
請求項４の発明によれば、プレートの上面に電線固定部として２本の電線配索溝を形成しているので、それらの配索溝に電線を嵌め込むだけで、２本の電線を互いに離間させて容易に位置ずれしないように配索することができる。
【００２４】
請求項５の発明によれば、電子部品の半田付け箇所の両側に外力吸収部を設けているので、電線に引き抜き力が作用した場合にも、半田付け箇所に外力が及ばないようにすることができると共に、電線の抜け防止強度の向上を図ることができる。
【００２５】
請求項６の発明によれば、電線配索溝の経路末端に縦溝が設けられており、その縦溝に沿って電線を配索することにより電線を屈曲させることができるので、その屈曲部を例えばカバーで押え付けることにより、電線に引き抜き方向の外力が加わった際に、電線の屈曲部により外力を吸収することができる。
【００２６】
請求項７の発明によれば、電線配索溝の経路途中に、プレートの上面と平行な方向に屈曲した屈曲部が設けられており、その屈曲部に沿って電線を配索することにより電線を屈曲させることができるので、電線に引き抜き方向の外力が加わった際に、その屈曲部により外力を吸収することができる。
【００２７】
請求項８の発明によれば、電線配索溝の経路途中にリブによる隘路部が設けられているので、その隘路部に被覆電線を押し込むことにより、その部分で、電線に加わる引っ張り方向の外力を吸収することができる。
【００２８】
請求項９の発明によれば、２本の電線配索溝の間に、両溝を橋渡しするように、電子部品の嵌まる横断溝が設けられているので、電子部品を容易に位置決めしながら半田付けすることができる。
【００２９】
請求項１０の発明によれば、カバーに光漏れ防止突起が設けられており、この光漏れ防止突起で電線をプレートに対して押え付けるようにしているので、ＬＥＤの実装部への外力の影響を低減することができる。
【００３０】
請求項１１の発明によれば、カバーが、レンズとレンズ押えの２部品に分割されているので、レンズを透明樹脂や透明ガラスにより成形し、レンズ押えを非透明樹脂により成形することができる。
【発明を実施するための最良の形態】
【００３１】
以下、本発明の実施形態を図面を参照して説明する。
【００３２】
＜第１実施形態＞
図１は第１実施形態のＬＥＤ照明ユニットの分解斜視図、図２は同ユニットの構成部品であるレンズ押えの構成図で、図２（ａ）は下から見た斜視図、図２（ｂ）は下面図、図２（ｃ）は図２（ａ）のＩＩｃ−ＩＩｃ矢視断面図、図３は組立工程の１つを示すもので、プレートの電線配索溝に被覆電線を嵌め込んだ状態を示す斜視図、図４は図３のように嵌め込んだ被覆電線の芯線露出部をプレスしてフラットに成形した状態を示す側断面図、図５はプレス後の芯線露出部にＬＥＤと抵抗をセットしようとしている状態を示す側断面図、図６はプレス後の芯線露出部にＬＥＤと抵抗を半田付けした状態を示す斜視図、図７はＬＥＤと抵抗を半田付けした後にレンズとレンズ押えをセットしてＬＥＤ照明ユニットの組立を完了した状態を示す断面図である。
【００３３】
図１に示すように、このＬＥＤ照明ユニットは、絶縁材料で構成されたプレート１０と、２本の被覆電線２０と、電子部品としてのチップ型のＬＥＤ３１および抵抗３２と、レンズ４０およびレンズ押え５０よりなるカバー６０とを備えている。
【００３４】
プレート１０は、プレート本体１１の上面に、２本の被覆電線２０を互いに離間して固定可能な電線配索溝１２を電線固定部として有している。２本の電線配索溝１２は、矩形上のプレート本体１１の一対の対向辺に相当する一端縁１１ａから他端縁１１ｂまで直線状に互いに平行に延びている。
【００３５】
２本の被覆電線２０は、それぞれ長手方向の中間部に、被覆２２を除去して芯線２１を露出させた芯線露出部２１ａを有し、図３に示すように、各芯線露出部２１ａをプレート１０上の中間部に位置させて、それぞれプレート１０の電線配索溝１２に嵌め込まれている。また、ＬＥＤ３１と抵抗３２は、図６に示すように、２本の被覆電線２０の芯線露出部２１ａに跨るようにそれぞれ両端が半田付けにより接続されている。
【００３６】
芯線露出部２１ａは、図４に示すように、半田付け前にプレスによりフラットに成形されている。このようにフラットにすることにより、半田付け面を広くとれるので、ＬＥＤ３１や抵抗３２等の電子部品を容易に半田付けすることができると共に、半田付けによる接続信頼性を高めることができるようになる。
【００３７】
なお、被覆電線２０には、芯線がスズメッキされた電線が使用されている。これは、電子部品を半田付けする芯線露出部２１ａの腐食を防止することができて、半田付け性能を高めることができるからである。
【００３８】
２本の電線配索溝１２の間の仕切壁１４には、両溝１２を橋渡しするように、ＬＥＤ３１および抵抗３２の嵌まる横断溝１５、１６が設けられており、こられの横断溝１５、１６にＬＥＤ３１と抵抗３２を嵌め込むことで、ＬＥＤ３１および抵抗３２を容易に位置決めしながら半田付けできるようになっている。
【００３９】
カバー６０は、プレート１０の上面に被せた状態でプレート１０と結合されるもので、ＬＥＤ３１の発光側を覆うように被せられるレンズ４０と、プレート１０に結合されることで、レンズ４０をプレート１０に対して押え付けるレンズ押え５０の２部品に分割されている。なお、レンズ４０は透明樹脂や透明ガラス等により成形され、レンズ押え５０は非透明樹脂等の遮光性材料により成形されている。
【００４０】
レンズ４０は、図１および図７に示すように、上部に半球状のレンズ部４１を有すると共に、下端に環状のフランジ４２を有するもので、環状のフランジ４２の内側に、ＬＥＤ３１を収容するための凹所４３を有している。
【００４１】
レンズ押え５０は、図２に示すように、四角形の上壁５１と、その４辺より垂下された周側壁５２とを有する底面開口の箱形のもので、上壁５１の中央にレンズ部４１を露出させる円形の開口部５３を有し、互いに対向する一対の周側壁５２、５２に電線引出溝５６を有している。また、４つの周側壁５２の下端内面に、プレート１０と結合するためのロック爪５５を有すると共に、上壁５１の内面（下面）に、開口部５３の周囲に位置させて環状の光漏れ防止突起５４を有している。
【００４２】
この光漏れ防止突起５４は、ＬＥＤ３１の光が外に漏れるのを防止する機能の他に、ＬＥＤ３１が半田付けされた部分の電線２０の両側をプレート１０に対して押圧する電線押圧部の機能を兼ね備えている。
【００４３】
また、電線配索溝１２上の電子部品を半田付けした箇所を挟む両側の位置には、被覆電線２０に外力が加わった際にその外力を吸収する外力吸収部が設けられている。本実施形態では、外力吸収部として、電線配索溝１２の経路末端に、プレート１０の厚み方向に被覆電線２０を屈曲させる縦溝１３が設けられている。
【００４４】
そして、この縦溝１３に沿って電線２０を配索することにより、電線２０を屈曲させることができ、その屈曲部をレンズ押え５０の下端で押え付けることにより、電線２０に引き抜き方向の外力が加わった際に、その屈曲部によって外力を吸収することができるようになっている。
【００４５】
また、図４に示すように、プレート１０の下面には、電線配索溝１２上の電子部品を半田付けする位置に対応させて、芯線露出部２１ａをプレスする際に下型１０２を挿入したり、半田付けの際に半田付け用の治具等を挿入したりするための下面孔１７が設けられている。
【００４６】
次に、このＬＥＤ照明ユニットを組み立てる手順について述べる。
【００４７】
まず、中間皮むきして長手方向中間部に芯線露出部２１ａを形成した被覆電線２０を２本用意し、これら２本の被覆電線２０を、図３に示すように、芯線露出部２１ａが横断溝１５、１６にかかるようにして、プレート１０上の電線配索溝１２に嵌め込む。次いで、図４に示すように、上型１０１と下型１０２を用いて、芯線露出部２１ａの半田付け予定箇所をプレスしフラット形状に押し潰す。
【００４８】
次に、図５および図６にに示すように、プレスした箇所にＬＥＤ３１と抵抗３２をセットして、半田付けする。そして、半田付け後に、図７に示すように、レンズ４０、レンズ押え５０をプレート１０上に順番に載せて、レンズ押え５０のロック爪５５をプレート１０の周縁下面に係合させることにより、ＬＥＤ照明ユニットを完成する。
【００４９】
この状態で、レンズ押え５０の光漏れ防止突起５４が、被覆電線２０をプレート１０に対して押え付けるので、ＬＥＤ３１の実装部への外力の影響を低減することができる。また、電線配索溝１２の末端に縦溝１３を設け、その縦溝１３に被覆電線２０を嵌めることで、電線２０を下側に屈曲させ、その部分をレンズ押え５０の下端部でプレート１０に押え付けているので、電線２０に引き抜き力が作用した場合にも、その部分で外力を吸収することができ、それにより、半田付け箇所に外力が及ばないようにすることができると共に、電線２０の抜け防止強度の向上を図ることができる。
【００５０】
本実施形態のＬＥＤ照明ユニットは、以上の構成のように、被覆電線２０の芯線露出部２１ａに直接電子部品（ＬＥＤ３１と抵抗３２）を半田付けしているので、従来のように、回路パターンを有した実装基板やブスバー付き基板を省略することができるし、圧接端子や基板コネクタも省略することができる。また、外部の電線を直接使用できるので、中継用のコネクタも省略できる。また、ＬＥＤ３１や抵抗３２を直接被覆電線２０の芯線露出部２１ａに半田付けしているので、ＬＥＤ３１や抵抗３２からの熱を直接電線２０の芯線２１を通して他へ逃がすことができ、ＬＥＤ３１や抵抗３２の発熱を抑えることができて、従来使用していた放熱プレートを省略することができる。従って、部品の省略による構成の簡素化が図れて、コストダウンが図れる。また、本実施形態では、電線固定部としてプレート１０上に電線配索溝１２を設けているので、電線配索溝１２に被覆電線２０を嵌め込むだけで、２本の被覆電線２０を互いに離間させて容易に位置ずれしないように配索することができ、組み立て手間がかからない。
【００５１】
＜第２実施形態＞
図８は第２実施形態のＬＥＤ照明ユニットの分解斜視図、図９は同ユニットの構成部品であるレンズ押えとプレートの構成を示す断面図、図１０は組立工程の１つを示すもので、プレートの電線配索溝に被覆電線を嵌め込んだ状態を示す斜視図、図１１は電線配索溝に嵌め込んだ被覆電線の芯線露出部にＬＥＤと抵抗を半田付けした状態を示す斜視図、図１２はＬＥＤと抵抗を半田付けした後にレンズとレンズ押えをセットしてＬＥＤ照明ユニットの組立を完了した状態を示す断面図で、図１２（ａ）は全体断面図、図１２（ｂ）は図１２（ａ）のＸＩＩｂ部の拡大図である。
【００５２】
図８に示すように、このＬＥＤ照明ユニットは、絶縁材料で構成されたプレート１１０と、２本の被覆電線２０と、電子部品としてのチップ型のＬＥＤ３１および抵抗３２と、レンズ４０およびレンズ押え１５０よりなるカバー１６０とを備えている。
【００５３】
プレート１１０は、プレート本体１１１の上面に、２本の被覆電線２０を互いに離間して固定可能な電線配索溝１１２を電線固定部として有している。２本の電線配索溝１１２は、矩形上のプレート本体１１１の一対の対向辺に相当する一端縁１１１ａから他端縁１１１ｂまで互いに並列に延びており、後述する電子部品を半田付けする部分の両側に、それぞれ外力吸収部として、プレート１１０の上面と平行な方向に屈曲した屈曲部１１２ａを有している。また、プレート本体１１１の四隅に近い位置にロック孔１１８を有している。ロック孔１１８は、図９に示すように、内部に係止壁１１８ａとなる段部を有するものである。
【００５４】
２本の被覆電線２０は、第１実施形態と同様のもので、それぞれ長手方向の中間部に、被覆２２を除去して芯線２１を露出させた芯線露出部２１ａを有しており、図１０に示すように、各芯線露出部２１ａをプレート１１０上の中間部に位置させて、それぞれプレート１１０の電線配索溝１１２に嵌め込まれている。
【００５５】
この場合は、電線配索溝１１２の経路途中に屈曲部１１２ａが設けられているので、その屈曲部１１２ａに沿って被覆電線２０を配索することにより、電線２０を強制的に屈曲させることができる。従って、電線２０に引き抜き方向の外力が加わった際に、その屈曲部により外力を吸収することができる。
【００５６】
また、ＬＥＤ３１と抵抗３２は、図１１に示すように、２本の被覆電線２０の芯線露出部２１ａに跨るようにそれぞれ両端が半田付けにより接続されている。ここで、電線配索溝１１２にセットされた芯線露出部２１ａは、図４に示した場合と同様に、半田付け前にプレスによりフラットに成形されている。また、被覆電線２０には、芯線がスズメッキされた電線が使用されている。
【００５７】
また、第１実施形態と同様に、２本の電線配索溝１１２の間の仕切壁１１４には、両溝１１２を橋渡しするように、ＬＥＤ３１および抵抗３２の嵌まる横断溝１１５、１１６が設けられており、こられの横断溝１１５、１１６にＬＥＤ３１と抵抗３２を嵌め込むことで、ＬＥＤ３１および抵抗３２を容易に位置決めしながら半田付けできるようになっている。
【００５８】
カバー１６０は、プレート１１０の上面に被せた状態でプレート１１０と結合されるもので、ＬＥＤ３１の発光側を覆うように被せられるレンズ４０と、プレート１１０に結合されることで、レンズ４０をプレート１１０に対して押え付けるレンズ押え１５０の２部品に分割されている。レンズ４０は透明樹脂や透明ガラス等により成形され、レンズ押え１５０は非透明樹脂等の遮光性材料により成形されている。レンズ４０は、第１実施形態と同様の構成を有している。
【００５９】
また、レンズ押え５０は、図８および図９に示すように、四角形の上壁１５１と、その４辺より垂下された周側壁１５２とを有する底面開口の箱形のもので、上壁１５１の中央にレンズ部４１を露出させる円形の開口部１５３を有し、周側壁１５２の内側に、上壁１５１に基端が固定されたロックアーム１５８を有している。また、上壁５１の内面（下面）に、開口部５３の周囲に位置させて、環状の光漏れ防止突起１５４を有している。この光漏れ防止突起１５４は、第１実施形態と同様の機能を果たすものである。
【００６０】
また、図９に示すように、プレート１１０の下面には、電線配索溝１１２上の電子部品を半田付けする位置に対応させて、芯線露出部２１ａをプレスする際に下型１０２（図４参照）を挿入したり、半田付けの際に半田付け用の治具等を挿入したりするための下面孔１１７が設けられている。
【００６１】
次に、このＬＥＤ照明ユニットを組み立てる手順について述べる。
【００６２】
まず、中間皮むきして長手方向中間部に芯線露出部２１ａを形成した被覆電線２０を２本用意し、これら２本の被覆電線２０を、図１０に示すように、芯線露出部２１ａが横断溝１１５、１１６にかかるようにして、プレート１１０上の電線配索溝１１２に嵌め込む。次いで、図４に示した場合と同様に、芯線露出部２１ａの半田付け予定箇所をプレスしフラット形状に押し潰す。
【００６３】
次に、図１１に示すように、プレスした箇所の芯線露出部２１ａにＬＥＤ３１と抵抗３２をセットして、半田付けする。そして、半田付け後に、図１２に示すように、レンズ４０、レンズ押え１５０をプレート１１０上に順番に載せて、レンズ押え１５０のロックアーム１５８の先端をプレート１１０のロック孔１１８に差し込み先端フックを係止壁１１８ａに係合させることにより、ＬＥＤ照明ユニットを完成する。
【００６４】
この状態で、レンズ押え１５０の光漏れ防止突起１５４が、被覆電線２０をプレート１１０に対して押え付けるので、ＬＥＤ３１の実装部への外力の影響を低減することができる。また、電線配索溝１１２の経路途中に屈曲部１１２ａを設け、その屈曲部１１２ａに被覆電線２０を嵌めることで、電線２０を強制的に屈曲させているので、電線２０に引き抜き力が作用した場合にも、その部分で外力を吸収することができ、それにより半田付け箇所に外力が及ばないようにすることができると共に、電線２０の抜け防止強度の向上を図ることができる。
【００６５】
なお、上記実施形態のように縦溝１３や屈曲部１１２ａを設けないでも、図１３に示すように、電線配索溝１２の経路途中に、溝内側壁にリブ１２ｃを設けることによって溝幅が被覆電線２０の被覆の外径よりも局部的に狭められた隘路部１２ｄを形成し、その隘路部１２ｄに被覆電線２０を押し込むことにより、その部分で電線２０に加わる引っ張り方向の外力を吸収することができる。
【図面の簡単な説明】
【００６６】
【図１】本発明の第１実施形態のＬＥＤ照明ユニットの分解斜視図である。
【図２】同ユニットの構成部品であるレンズ押えの構成図で、（ａ）は下から見た斜視図、（ｂ）は下面図、（ｃ）は（ａ）のＩＩｃ−ＩＩｃ矢視断面図である。
【図３】同ユニットの組立工程の１つを示すもので、プレートの電線配索溝に被覆電線を嵌め込んだ状態を示す斜視図である。
【図４】図３のように嵌め込んだ被覆電線の芯線露出部をプレスしてフラットに成形した状態を示す側断面図である。
【図５】プレス後の芯線露出部にＬＥＤと抵抗をセットしようとしている状態を示す側断面図である。
【図６】プレス後の芯線露出部にＬＥＤと抵抗を半田付けした状態を示す斜視図である。
【図７】ＬＥＤと抵抗を半田付けした後にレンズとレンズ押えをセットしてＬＥＤ照明ユニットの組立を完了した状態を示す断面図である。
【図８】本発明の第２実施形態のＬＥＤ照明ユニットの分解斜視図である。
【図９】同ユニットの構成部品であるレンズ押えとプレートの構成を示す断面図である。
【図１０】同ユニットの組立工程の１つを示すもので、プレートの電線配索溝に被覆電線を嵌め込んだ状態を示す斜視図である。
【図１１】同ユニットおいて、電線配索溝に嵌め込んだ被覆電線の芯線露出部にＬＥＤと抵抗を半田付けした状態を示す斜視図である。
【図１２】ＬＥＤと抵抗を半田付けした後にレンズとレンズ押えをセットしてＬＥＤ照明ユニットの組立を完了した状態を示す断面図で、（ａ）は全体断面図、（ｂ）は（ａ）のＸＩＩｂ部の拡大図である。
【図１３】他の実施形態の要部を示す斜視図である。
【図１４】従来のＬＥＤ照明ユニットの一例を示す分解斜視図である。
【図１５】同ユニットの断面図である。
【符号の説明】
【００６７】
１０  プレート
１２  電線配索溝
１２ｃ  リブ
１２ｄ  隘路部
１３  縦溝
１５，１６  横断溝
２０  被覆電線
２１  芯線
２１ａ  芯線露出部
２２  被覆
３１  ＬＥＤ（電子部品）
３２  抵抗（電子部品）
４０  レンズ
５０  レンズ押え
５４  環状の光漏れ防止突起
６０  カバー
１１０  プレート
１１２  電線配索溝
１１２ａ  屈曲部
１１５，１１６  横断溝
１５０  レンズ押え
１５４  環状の光漏れ防止突起
１６０  カバー
【図１】
2009253040.tif 000003
【図２】
2009253040.tif 000004
【図３】
2009253040.tif 000005
【図４】
2009253040.tif 000006
【図５】
2009253040.tif 000007
【図６】
2009253040.tif 000008
【図７】
2009253040.tif 000009
【図８】
2009253040.tif 000010
【図９】
2009253040.tif 000011
【図１０】
2009253040.tif 000012
【図１１】
2009253040.tif 000013
【図１２】
2009253040.tif 000014
【図１３】
2009253040.tif 000015
【図１４】
2009253040.tif 000016
【図１５】
2009253040.tif 000017